(57)【要約】【課題】  原稿の画像を読み取るための光源から発せられた光を操作部を照明するためにも利用することで消費電力の有効利用を図る。【解決手段】  画像読取装置１１０は、原稿に光を照射する露光ランプ１１を搭載して副走査方向に移動する第１走査ユニット１１３と、露光ランプ１１から発せられ原稿で反射された光を画像情報として読み取るＣＣＤラインセンサ１１６と、動作状態に関する情報を表示する操作パネルＰ１と、操作パネルＰ１とは別個に設けられるサブ表示部Ｐ２と、露光ランプ１１の予備点灯時に露光ランプ１１から発せられた光を操作パネルＰ１およびサブ表示部Ｐ２に導く導光レンズ２０と、を備える。露光ランプ１１の予備点灯時に操作パネルＰ１用のバックランプ３３を消灯することができ、消費電力が節約される。【選択図】  図３
2005277961.tif 000002
【特許請求の範囲】
【請求項１】
原稿に光を照射する光源と、
前記光源から発せられ前記原稿で反射された光を画像情報として読み取る画像読取手段と、
動作状態に関する情報を表示する表示部と、
前記光源から発せられた光を前記表示部に導く導光手段と、を備えることを特徴とする画像読取装置。
【請求項２】
前記導光手段は、前記光源が点灯してから発光量が安定するまでの予備点灯時に前記光源から発せられた光を前記表示部に導くことを特徴とする請求項１に記載の画像読取装置。
【請求項３】
前記表示部用の照明手段をさらに備えることを特徴とする請求項１または２に記載の画像読取装置。
【請求項４】
前記表示部の輝度は、前記光源によって照明される場合より、前記照明手段によって照明される場合の方が高いことを特徴とする請求項３に記載の画像読取装置。
【請求項５】
前記光源は、前記原稿に対向する位置と前記導光手段に対向する位置との間を変位自在であることを特徴とする請求項１から４のいずれかに記載の画像読取装置。
【請求項６】
前記表示部とは異なるサブ表示部をさらに備え、
前記導光手段は、前記光源から発せられた光を前記表示部へ導くとともに前記サブ表示部へも導くことを特徴とする請求項２から５のいずれかに記載の画像読取装置。
【請求項７】
請求項１から６のいずれかに記載の画像読取装置と、
前記画像読取装置によって取得された画像情報に基づいて画像を形成する画像形成部と、を備えることを特徴とする画像形成装置。
【発明の詳細な説明】
【技術分野】
【０００１】
この発明は、画像読取前に予備点灯を要する光源を用いた画像読取装置および画像形成装置に関する。
【背景技術】
【０００２】
複写機やファクシミリ装置は、画像読取装置と画像形成部とを備え、原稿の画像の複製や転送を可能とする。これらの装置では、原稿台上にセットされた原稿の画像を、原稿台に対向するように配置された光学手段で走査することによって原稿の画像に基づく画像データが取得される。取得された画像データは、外部のパソコン等に送られて利用され、または、画像形成部に送られて原稿の複製物が作成される。
【０００３】
上述のような画像読取装置は、原稿を光源によって照明し、原稿からの反射光を光電変換素子で読み取ることによって、原稿の画像を画像データに変換する。原稿を照明する光源として、従来からハロゲンランプや蛍光灯が用いられてきたが、ハロゲンランプは光量が大きいという利点を有する反面、消費電力および発熱量が大きいという欠点があり、また、蛍光灯は衝撃に強く消費電力および発熱量が小さいという利点を有する反面、寿命が短く、光量の温度異存性が高いのでヒータを別途必要とするという欠点がある。したがって、最近では、ハロゲンランプや蛍光灯の使用は減少し、光源として冷陰極管が最も多く用いられている（例えば、特許文献１参照。）。
【特許文献１】特開平３−２９７２６６号公報
【発明の開示】
【発明が解決しようとする課題】
【０００４】
しかし、冷陰極管は、蛍光灯と比較して寿命が長いが、発光量などの点灯状態が安定するまでに通常４５秒間から１分間程度の時間を要するので、点灯後すぐに原稿を照明して画像の読み取りを行うことができない。画像読取装置は、冷陰極管の点灯を開始してから発光量が安定するまでの時間、予熱中等と表示して予備点灯を行う。画像読取装置は、冷陰極管の予熱中、原稿画像の読取動作を行えず、操作部から読取条件などの条件設定の入力操作を受け付ける。操作部として、入力操作可能な設定メニュー等が表示され、ユーザが選択できるように、液晶表示素子を備えたタッチパネル形式の操作部が最も多く用いられている。このような操作部は、表示内容を見やすくするために通常、照明手段によって照明されている。したがって、冷陰極管の予熱中は、原稿の画像を読み取るための光源
（冷陰極管）と操作部の照明用の照明手段との両方が点灯されている。冷陰極管の予熱中は、原稿の画像を読み取るための光源（冷陰極管）から発せられた光は、全く何にも利用されず無駄に捨てられてしまっている。
【０００５】
この発明の目的は、原稿の画像を読み取るための光源から発せられた光を操作部を照明するためにも利用することで消費電力の有効利用を図ることができる画像読取装置および画像形成装置を提供することにある。
【課題を解決するための手段】
【０００６】
この発明の画像読取装置は、上述の課題を解決するために以下のように構成される。
【０００７】
（１）原稿に光を照射する光源と、前記光源から発せられ前記原稿で反射された光を画像情報として読み取る画像読取手段と、動作状態に関する情報を表示する表示部と、前記光源から発せられた光を前記表示部に導く導光手段と、を備えることを特徴とする。
【０００８】
この構成においては、光源から発せられた光が原稿に照射され、さらに原稿で反射された光が画像読取手段で読み取られることで画像情報が取得される。また、原稿に光を照射するための光源から発せられた光は、導光手段によって表示部に導かれ、表示部が照明される。
【０００９】
（２）前記導光手段は、前記光源が点灯してから発光量が安定するまでの予備点灯時に前記光源から発せられた光を前記表示部に導くことを特徴とする。
【００１０】
従来の画像読取装置では、光源が点灯してから発光量が安定するまでの予備点灯時は、光源は単に点灯されるのみで、光源から発せられた光は何にも利用されることなく捨てられていた。この構成においては、予備点灯時に光源から発せられた光は表示部に導かれ、表示部の照明に利用される。
【００１１】
（３）前記表示部用の照明手段をさらに備えることを特徴とする。
【００１２】
この構成においては、原稿画像の読取用の光源から発せられた光を表示部の照明用に利用できない場合は表示部用の照明手段によって表示部が照明され、原稿画像の読取用の光源から発せられた光を表示部の照明用に利用できる場合は、表示部用の照明手段を点灯させる必要がなくなる。
【００１３】
（４）前記表示部の輝度は、前記光源によって照明される場合より、前記照明手段によって照明される場合の方が高いことを特徴とする。
【００１４】
原稿画像の読取用の光源によって照明される場合と、表示部用の照明手段によって照明される場合とで、表示部の輝度を同一にするためには、輝度を調整するための余計な電力を使用することになるが、この構成においては、上述の２つの場合の輝度が異なるので、上述のような余計な電力が使用されない。また、上述の２つの場合の表示部の輝度が異なるので、光源の予熱中であるか、または、光源の予熱が終了し読取動作が可能な状態か、の画像読取装置の状態が、表示部の輝度の違いによって視覚的に容易に認識される。さらに、予熱中は光源の発光量が安定しておらず小さくなりがちであること、および、光源から表示部までの光路が比較的長く反射回数も多くなるので光が減衰してしまうことから、表示部用の照明手段によって照明する場合より画像読取用の光源によって照明される場合の方が、表示部の輝度が低くなるのが自然であり、この構成においても、表示部用の照明手段によって照明する場合より画像読取用の光源によって照明される場合の方が表示部の輝度が低くなるようにしているので、余計な電力を使用することがない。
【００１５】
（５）前記光源は、前記原稿に対向する位置と前記導光手段に対向する位置との間を変位自在であることを特徴とする。
【００１６】
この構成においては、光源は、原稿に対向する位置において、原稿に画像読取用の光を照射する。また、光源は、導光手段に対向する位置において、導光手段を介して表示部に光を照射し表示部を照明する。光源は、上述の２つの位置を変位自在であり、それぞれの位置において光源から発せられる光が有効に利用される。さらに、画像読取用の位置と表示部の照明用の位置とが異なるので、導光手段が原稿画像の読み取りの妨げになることがない。
【００１７】
（６）前記表示部とは異なるサブ表示部をさらに備え、前記導光手段は、前記光源から発せられた光を前記表示部へ導くとともに前記サブ表示部へも導くことを特徴とする。
【００１８】
この構成においては、光源から発せられた光は、導光手段によって、表示部に導かれるとともにサブ表示部にも導かれ、光源から発せられた光によって、表示部のみならずサブ表示部も照明される。
【００１９】
この発明の画像形成装置は、上述の課題を解決するために以下のように構成される。
【００２０】
（７）（１）から（６）のいずれかに記載の画像読取装置と、
前記画像読取装置によって取得された画像情報に基づいて画像を形成する画像形成部と、を備えることを特徴とする。
【００２１】
この構成においては、光源から発せられ原稿で反射された光が画像読取手段で読み取られることで画像情報が取得され、取得された画像情報に基づいて画像形成部で画像が形成される。また、原稿に光を照射するための光源から発せられた光は、導光手段によって表示部に導かれ、表示部が照明される。
【発明の効果】
【００２２】
この発明によれば、以下の効果を奏することができる。
【００２３】
（１）原稿に光を照射するための光源から発せられた光を表示部を照明するためにも利用できるので、消費電力の有効利用を図ることができる。
【００２４】
（２）予備点灯時に光源から発せられた光は表示部に導かれ、表示部の照明に利用することができるので、消費電力の有効利用を図ることができる。
【００２５】
（３）原稿画像の読取用の光源から発せられた光を表示部の照明用に利用できない場合でも表示部用の照明手段によって表示部を照明することができ、原稿画像の読取用の光源から発せられた光を表示部の照明用に利用できる場合は、表示部用の照明手段を点灯させる必要がなく、表示部用の照明手段を消灯させた分だけ電力を節約することができる。
【００２６】
（４）原稿画像の読取用の光源によって照明される場合と、表示部用の照明手段によって照明される場合とで、表示部の輝度が異なるので、光源の予熱中であるか、または、光源の予熱が終了し読取動作が可能な状態か、の画像読取装置の状態を、表示部の輝度の違いによって視覚的に容易に認識することができる。
【００２７】
（５）光源は原稿に対向する位置と導光手段に対向する位置とを変位自在であり、それぞれの位置において光源から発せられる光を有効に利用することができる。また、画像読取用の位置と表示部の照明用の位置とが異なるので、導光手段が原稿画像の読み取りの妨げになることがない。
【００２８】
（６）光源から発せられた光によって表示部のみならずサブ表示部も照明されるので、消費電力をいっそう有効利用することができる。
【発明を実施するための最良の形態】
【００２９】
以下に、この発明の実施形態について図面に基づいて説明する。図１は、この発明の実施形態に係る画像読取装置を備える画像形成装置の概略の構成を示す断面図である。この実施形態に係る画像読取装置１１０を備える画像形成装置１は、自動原稿搬送装置１１２、画像読取装置１１０、画像形成部２１０、および多段給紙部２７０を備える。
【００３０】
自動原稿搬送装置１１２は、原稿トレイ上にセットされた複数枚の原稿を１枚ずつ画像読取装置１１０の原稿台１１１上へ給送する。
【００３１】
画像読取装置１１０は、透明ガラスからなる原稿台１１１を備え、原稿台１１１の下方にさらに、第１走査ユニット１１３、第２走査ユニット１１４、光学レンズ１１５、および光電変換素子であるＣＣＤラインセンサ１１６を備える。第１走査ユニット１１３は、原稿を露光する露光ランプ１１と、原稿からの反射光を所定の方向に反射させる第１ミラー１２を含む。露光ランプ１１として、定格での点灯時の輝度が３０００ｃｄ／ｍ2〜４ ０００ｃｄ／ｍ2である冷陰極管が用いられる。露光ランプ１１の消費電力は、約５ｗ〜 ６ｗである。第２走査ユニット１１４は、第１ミラー１２から反射されてくる原稿からの反射光をＣＣＤラインセンサ１１６に導く第２ミラーおよび第３ミラーを含む。光学レンズ１１５は、原稿からの反射光をＣＣＤラインセンサ１１６上に結像させる。
【００３２】
また、画像読取装置１１０は、自動原稿搬送装置１１２の動作と関連して動作し、自動原稿搬送装置１１２によって自動搬送される原稿の画像を、所定の露光位置で読み取る。
【００３３】
画像読取装置１１０によって読み取られた原稿の画像は、画像データとして図示しない画像データ入力部を介して制御部１００へ送られる。制御部１００では、画像データは所定の画像処理が施された後、制御部１００内のメモリに一旦記憶され、制御部１００からの出力指示に応じて画像形成部２１０の光書込み装置であるレーザ書込みユニット２２７に出力される。
【００３４】
画像形成部２１０は、レーザ書込みユニット２２７を備え、レーザ書込みユニット２２７は、メモリから読み出した画像データまたは外部の装置から入力された画像データに基づくレーザ光を出射する半導体レーザ光源、レーザ光を等角速度偏向するポリゴンミラー、等角速度で偏向されたレーザ光が感光体ドラム２２２上において等角速度で偏向されるように補正するｆ−θレンズなどを含む。なお、この実施形態では、光書込み装置としてレーザ書込みユニットを用いたが、ＬＥＤやＥＬ等の発光素子アレイを用いた固体走査型の光書込みヘッドユニットを用いてもよい。
【００３５】
画像形成部２１０はさらに、感光体ドラム２２２を備え、感光体ドラム２２２の周囲に、感光体ドラム２２２を所定の電位に帯電させる帯電器２２３、感光体ドラム２２２上に形成された静電潜像にトナーを供給して顕像化しトナー像を形成する現像器２２４、感光体ドラム２２２の表面に形成されたトナー像を記録用紙に転写する転写器２２５、転写後に感光体ドラム２２２上に残留する余分なトナーを回収するクリーニング器２２６、および感光体ドラム２２２の帯電電位を除電する除電器２２９を備える。トナー像が転写された記録用紙は定着ユニット２１７に送られ、トナー像が記録用紙に定着する。
【００３６】
画像形成部２１０は、定着ユニット２１７より記録用紙の搬送方向の下流側に、記録用紙の裏面にも画像を形成するために記録用紙の表裏を反転させるスイッチバック路２２１、および、画像が形成された記録用紙に対してステープル処理等を行い処理後の記録用紙を昇降トレイ２６１等に排出する後処理装置２６０を備える。
【００３７】
また、画像形成部２１０は、給紙トレイ２５１、両面ユニット２５５、および手差トレイ２５４を備える。用紙トレイ２５１等から供給された記録用紙は、用紙搬送路２５０を介して感光体ドラム２２２と転写器２２５との間の転写位置に搬送されてトナー像を転写され、定着ユニット２１７でトナー像を定着される。トナー像を定着された記録用紙は、必要に応じてスイッチバック路２２１を経て、排紙ローラ２１９によって後処理装置２６０へと導かれ、後処理装置２６０で所定の後処理が施された後、昇降トレイ２６１等に排出される。
【００３８】
両面ユニット２５５は、記録用紙を反転させるスイッチバック路２２１に通じており、記録用紙の両面に画像を形成をする場合に用いられる。なお、両面ユニット２５５は、通常の給紙カセットと交換可能に構成される。
【００３９】
多段給紙部２７０は、画像形成部２１０の下方に配置され、給紙トレイ２５２，２５３を備える。給紙トレイ２５２，２５３に収容された記録用紙は、用紙搬送路２５０を介して画像形成部２１０の転写位置へ搬送される。
【００４０】
図２は、操作部の外観構成を示す図である。画像読取装置１１０の上面に操作部４６が設けられる。操作部４６は、操作パネルＰ１、サブ表示部Ｐ２、および各種のキーＫ１〜Ｋ８を備える。操作パネルＰ１は、例えば液晶タッチパネルで形成され、画像形成装置１の動作状態に関する情報を表示するとともに、画像形成装置１の読取条件や印刷条件の設定などの入力を受け付ける。サブ表示部Ｐ２は、点灯することで露光ランプ１１が予熱中（予備点灯中）であることを示し、消灯することで露光ランプ１１の予備点灯が終了し読取動作が可能な状態になったことを示す。
【００４１】
操作パネルＰ１の右側に、テンキーＫ１、割込キーＫ２、クリアキーＫ３、全解除キーＫ４、およびスタートキーＫ５が配置される。操作パネルＰ１の左側に、画像形成装置１の動作モードを切換えるためのモードキーである、ファックスキーＫ６、プリンタキーＫ７、コピーキーＫ８が配置される。
【００４２】
図３は、画像読取装置１１０の平面図である。図４は、画像読取装置１１０の一部の構成を示す正面図である。露光ランプ１１を備える第１走査ユニット１１３は、原稿台１１１に沿って副走査方向に往復移動することで原稿台１１１上に載置された原稿の画像を走査する。第１走査ユニット１１３は、第１のホームポジションＨＰ１および第２のホームポジションＨＰ２を有する。
【００４３】
第１のホームポジションＨＰ１は、露光ランプ１１の予熱中に第１走査ユニット１１３が配置される位置である。第２のホームポジションＨＰ２は、露光ランプ１１の予熱が完了し露光ランプ１１の発光量が安定した後に、第１走査ユニット１１３が画像読取動作に備えて待機する位置である。第１のホームポジションＨＰ１および第２のホームポジションＨＰ２はともに、原稿台１１１の副走査方向の一端側であって、画像読取領域から外れた位置に設定される。
【００４４】
原稿台１１１の副走査方向の一端側には、原稿載置基準部材３１が配置される。また、原稿載置基準部材３１と原稿台１１１との間には、シェーディング補正に用いられる基準反射板３２が配置される。第１のホームポジションＨＰ１に位置する第１走査ユニット１１３が、露光ランプ１１の予熱が完了した後、第２のホームポジションＨＰ２に向けて移動し停止する直前に、画像読取装置１１０は、第１走査ユニット１１３を移動させながら基準反射板３２の画像を複数ライン読み取る。これによって、画像読取装置１１０は、シェーディング補正用の補正データを取得し、取得した補正データを制御部１００に記憶して、原稿の画像を読み取って取得した画像データの補正のために用いる。
【００４５】
第１走査ユニット１１３が第１のホームポジションＨＰ１に配置されたときに露光ランプ１１に対向する位置に、導光レンズ２０が配置される。導光レンズ２０は、一端側に設けられる受光部２１（図５参照）が露光ランプ１１に対向し、他端側が操作パネルＰ１の一方の側部に沿うように、走査方向に配置される。したがって、第１走査ユニット１１３が第１のホームポジションＨＰ１に位置するときに、露光ランプ１１によって操作パネルＰ１およびサブ表示部Ｐ２が照明され、第１走査ユニット１１３が第２のホームポジションＨＰ２に移動すると、操作パネルＰ１およびサブ表示部Ｐ２は露光ランプ１１によっては照明されなくなり、サブ表示部Ｐ２は消灯する。また、操作パネルＰ１が露光ランプ１１によって照明されなくなるのと同時に後述するバックランプ３３が点灯され、操作パネルＰ１は、バックランプ３３によって照明される。
【００４６】
図５（ａ）は、導光レンズ２０の平面図であり、図５（ｂ）は、導光レンズ２０の側面図である。導光レンズ２０は、透明または半透明の、樹脂またはガラスで形成される。導光レンズ２０を形成する樹脂としては、アクリル樹脂、ポリカーボネート樹脂、ポリスチレン樹脂、塩化ビニル樹脂等が用いられ、インジェクション成型によって形成される。
【００４７】
導光レンズ２０は、露光ランプ１１から発せられた光を受ける受光部２１、受光部２１から入射された光をサブ表示部Ｐ２に向けて出射する第１反射面２２、および、受光部２１から入射された光を操作パネルＰ１に向けて反射する第２反射面２３を備える。受光部２１は、入射された光を第１反射面２２および第２反射面２３側に反射する反射面２４を有する。反射面２２，２３，２４はそれぞれ、フレネル面で形成される。
【００４８】
図６（ａ）は、導光レンズ２０と操作パネルＰ１との位置関係を示す平面図であり、図６（ｂ）は、図６（ａ）に示す導光レンズ２０および操作パネルＰ１の正面図である。導光レンズ２０は、反射面２３を備える側の一端部が操作パネルＰ１の一方の側部に沿うように、また、反射面２２がサブ表示部Ｐ２に対向するように、配置される。露光ランプ１１から発せられ導光レンズ２０の受光部２１から導光レンズ２０内に入射した光は、第１反射面２２で反射されてサブ表示部Ｐ２を照明するとともに、反射面２３で反射されて操作パネルＰ１内に入射する。操作パネルＰ１内に入射した光は、操作パネルＰ１が備える図示しない導光板および反射シート等を介して、操作パネルＰ１を照明する。
【００４９】
操作パネルＰ１は、導光レンズ２０が配置される側部と反対側の側部に、操作パネルＰ１のバックライト専用のバックランプ３３を備える。バックランプ３３として、例えば冷陰極管が用いられ、定格での輝度が１８０ｃｄ／ｍ2〜３００ｃｄ／ｍ2であり、消費電力が約０．９５ｗ〜２．５ｗであるものが用いられる。
【００５０】
バックランプ３３の輝度に比べて露光ランプ１１の輝度の方がはるかに高いが、露光ランプ１１から発せられ導光レンズ２０を介して操作パネルＰ１に照射される際には、導光レンズ２０への入射の際の光の漏れや、導光レンズ２０での導光長が長く導光効率が低いこと等から、露光ランプ１１によって照明した場合よりバックランプ３３によって照明した場合の方が、操作パネルＰ１の輝度は高くなる。この実施形態の画像読取装置１１０では、上述のような露光ランプ１１から発せられた光による輝度の減衰現象をそのまま利用して、露光ランプ１１によって照明した場合よりバックランプ３３によって照明した場合の方が、操作パネルＰ１の輝度が高くなるように設定される。したがって、操作パネルＰ１の輝度によって、操作パネルＰ１が、露光ランプ１１によって照明されているのか、バックランプ３３によって照明されているのかが、視覚的に容易に認識される。
【００５１】
図７は、制御部１００の処理手順の一部を示すフローチャートである。画像形成装置１が通電されると、制御部１００はまず、操作パネルＰ１専用のバックランプ３３を点灯させ（ステップＳ１）、バックランプ３３によって操作パネルＰ１を照明する。次に、制御部１００は、第１走査ユニット１１３を第１のホームポジションＨＰ１に配置し（ステップＳ２）、露光ランプ１１を点灯させると同時に（ステップＳ３）、バックランプ３３を消灯させる（ステップＳ４）。第１のホームポジションＨＰ１において露光ランプ１１が点灯することで、露光ランプ１１から発せられた光は導光レンズ２０を介して操作パネルＰ１に導かれ、露光ランプ１１によって操作パネルＰ１が照明される。
【００５２】
制御部１００は、露光ランプ１１の予熱が完了したか否かを判定し（ステップＳ５）、予熱が完了するまでステップＳ５の処理を繰り返しながら第１走査ユニット１１３を待機させる。制御部１００は、ステップＳ５において露光ランプ１１の予熱が完了したと判定した場合は、第１走査ユニット１１３を第２のホームポジションＨＰ２へ移動させ（ステップＳ６）、露光ランプ１１を点灯させたままの状態で第１走査ユニット１１３を第２のホームポジションＨＰ２で待機させる。
【００５３】
第１走査ユニット１１３が第１のホームポジションＨＰ１から第２のホームポジションＨＰ２へ移動することで、露光ランプ１１から発せられた光は導光レンズ２０に入射しなくなり、操作パネルＰ１およびサブ表示部Ｐ２は露光ランプ１１によっては照明されなくなる。したがって、制御部１００は、再びバックランプ３３を点灯させ（ステップＳ７）、バックランプ３３によって操作パネルＰ１を照明する。操作パネルＰ１を照明する光源が露光ランプ１１からバックランプ３３に切り替えられることで操作パネルＰ１の輝度が高くなること、および、サブ表示部Ｐ２の「予熱中」の表示が消灯することから、露光ランプ１１の予熱が完了し露光ランプ１１が安定した光量を発光できる状態になったことが、ユーザによって視覚的に容易に認識される。
【００５４】
第１走査ユニット１１３が第１のホームポジションＨＰ１から移動して第２のホームポジションＨＰ２で停止する直前に、制御部１００は、必要に応じて、基準反射板３２の画像を読み取ることでシェーディング補正用の補正データを取得する（ステップＳ８）。ステップＳ８でのシェーディング補正用の補正データの取得処理は、画像形成装置１の通電開始時、および、通電開始から例えば数時間経過する毎に行われる。また、制御部１００がステップＳ１１においてＹＥＳと判定しステップＳ１２において露光ランプ１１を一旦消灯した場合、ステップＳ８におけるシェーディング補正用の補正データの取得処理は、行われることが好ましいが、必ずしも行われなくてもよい。
【００５５】
制御部１００は、操作部４６から何らかの入力操作があったか否かを判定し（ステップＳ９）、入力操作があった場合は入力操作による指示に応じた動作を実行し（ステップＳ１０）、ステップＳ９の処理に戻る。例えば、制御部１００は、ステップＳ９において原稿の複写物を形成する旨の入力操作があったと判定した場合、ステップＳ１０において、入力操作による指示に応じた画像読取動作および画像形成動作を行う。
【００５６】
制御部１００は、ステップＳ９において入力操作がないと判定した場合、画像形成装置１の通電開始時または操作部４６の前回の入力操作時から所定時間経過したか否かを判定する（ステップＳ１１）。ステップＳ１１において判定基準とされる時間として、例えば数分から数十分程度の時間が設定される。制御部１００は、ステップＳ１１において所定時間経過していないと判定した場合、ステップＳ９の処理に戻り、所定時間経過したと判定した場合、露光ランプ１１を消灯させる（ステップＳ１２）。これによって、露光ランプ１１が点灯したまま長時間にわたって待機することによる消費電力の無駄な使用が防止され、省エネを図ることができる。なお、第１走査ユニット１１３の第２のホームポジションＨＰ２での待機時に、露光ランプ１１を常時点灯させる構成とすることもできる。
【００５７】
制御部１００は、ステップＳ１２において露光ランプ１１を消灯させると、第１走査ユニット１１３を第１のホームポジションＨＰ１へ移動させる（ステップＳ１３）。そして、制御部１００は、操作部４６から何らかの入力操作があったか否かを判定し（ステップＳ１４）、入力操作がないと判定した場合は、ステップＳ１４の処理を繰り返しながら、露光ランプ１１を消灯させたまま第１走査ユニット１１３を第１のホームポジションＨＰ１に待機させる。制御部１００は、ステップＳ１４において何らかの入力操作があったと判定した場合、ステップＳ３の処理に戻って露光ランプ１１を点灯させて露光ランプ１１を予熱させ、上述のステップＳ３以降の処理を行う。
【００５８】
画像形成装置１によれば、予備点灯時に露光ランプ１１から発せられた光を操作パネルＰ１およびサブ表示部Ｐ２の照明用に利用することができるので、消費電力の有効利用を図ることができる。また、操作パネルＰ１が露光ランプ１１によって照明されている場合とバックランプ３３によって照明されている場合とで操作パネルＰ１の輝度が異なるので、露光ランプ１１の予熱が完了したか否かを視覚的に容易に認識することができる。さらに、予備点灯時に露光ランプ１１から発せられた光がサブ表示部Ｐ２にも導かれることによって、「予熱中」と表示するサブ表示部Ｐ２が照明されるので、サブ表示部Ｐ２が照明されなくなることでも、露光ランプ１１の予熱が完了し読取動作が可能な状態になったことを、視覚的に容易に認識することができる。
【００５９】
また、露光ランプ１１によって操作パネルＰ１が照明されるので、操作パネルＰ１専用のバックランプ３３を必ずしも設ける必要がなくなる。
【００６０】
図８は、他の実施形態に係る画像読取装置に用いられる導光レンズ２０ａの平面図である。この実施形態において用いられる導光レンズ２０ａは、平行に配置される２つの受光部２１ａ，２５ａ、および反射面２２ａ，２３ａを備える。受光部２１ａ，２５ａはそれぞれ、入射した光を反射面２２ａまたは反射面２３ａに反射するための反射面２４ａ，２６ａを有する。反射面２２ａ，２３ａ，２４ａ，２６ａはそれぞれ、フレネル面で形成される。
【００６１】
この実施形態では、第１走査ユニット１１３は、第１のホームポジションＨＰ１、および第２のホームポジションＨＰ２ａを有する。第１のホームポジションＨＰ１は、露光ランプ１１の予熱中に第１走査ユニット１１３が配置される位置であり、第２のホームポジションＨＰ２ａは、露光ランプ１１の予熱が完了し露光ランプ１１の発光量が安定した後に第１走査ユニット１１３が画像読取動作に備えて待機する位置である。
【００６２】
第１のホームポジションＨＰ１は、露光ランプ１１から発せられた光が受光部２１ａに入射する位置に設定される。第２のホームポジションＨＰ２ａは、露光ランプ１１から発せられた光が受光部２５ａに入射する位置に設定される。
【００６３】
第１走査ユニット１１３が第１のホームポジションＨＰ１に配置された場合、受光部２１ａから入射した光は、反射面２４ａおよび反射面２２ａで反射されてサブ表示部Ｐ２に出射するとともに、反射面２４ａおよび反射面２３ａで反射されて操作パネルＰ１に出射し、サブ表示部Ｐ２および操作パネルＰ１が照明される。
【００６４】
第１走査ユニット１１３が第２のホームポジションＨＰ２ａに配置された場合、受光部２５ａから入射した光は、反射面２６ａおよび反射面２３ａで反射されて操作パネルＰ１に出射し、操作パネルＰ１が照明される。
【００６５】
この実施形態に係る画像形成装置によれば、予備点灯時に露光ランプ１１から発せられた光を操作パネルＰ１およびサブ表示部Ｐ２の照明用に利用することができるとともに、予備点灯が終了し露光ランプ１１の発光量が安定した後に第１走査ユニット１１３が画像読取動作に備えて待機する時間中も、露光ランプ１１から発せられた光を操作パネルＰ１の照明用に利用することができる。したがって、消費電力の有効利用を図ることができ、電力を節約することができる。
【図面の簡単な説明】
【００６６】
【図１】この発明の実施形態に係る画像読取装置を備える画像形成装置の概略の構成を示す断面図である。
【図２】操作部の外観構成を示す図である。
【図３】画像読取装置の平面図である。
【図４】画像読取装置の一部の構成を示す正面図である。
【図５】（ａ）は導光レンズの平面図であり、（ｂ）は導光レンズの側面図である。
【図６】（ａ）は、導光レンズと操作パネルとの位置関係を示す平面図であり、（ｂ）は、（ａ）に示す導光レンズおよび操作パネルの正面図である。
【図７】制御部の処理手順の一部を示すフローチャートである。
【図８】他の実施形態に係る画像読取装置に用いられる導光レンズの平面図である。
【符号の説明】
【００６７】
１  画像形成装置
１１  露光ランプ
２０  導光レンズ
３３  バックランプ
１１６  ＣＣＤラインセンサ
Ｐ１  操作パネル
Ｐ２  サブ表示部
ＨＰ１  第１のホームポジション
ＨＰ２  第２のホームポジション
【図１】
2005277961.tif 000003
【図２】
2005277961.tif 000004
【図３】
2005277961.tif 000005
【図４】
2005277961.tif 000006
【図５】
2005277961.tif 000007
【図６】
2005277961.tif 000008
【図７】
2005277961.tif 000009
【図８】
2005277961.tif 000010